(57)【要約】      （修正有）【課題】防水及び遮炎を図るため、遮炎性のある板状の芯材を目地ガスケットのシールリップに埋設することで、目地への取付けが容易かつ工数及び時間の低減をもたらす目地ガスケットを提供する。【解決手段】建物の外壁Ｗの接続部に形成される目地Ｍに、建物内部への浸水防止及び遮炎のため嵌込まれるゴムまたはゴム様弾性体より成る目地ガスケット１であって、中央柱部２の両側から各々シールリップ３が外壁Ｗの端面ｗに向けて上下に複数段突設され、かつ室内側の最下段を除く室外側の上方のシールリップ３のうち少なくとも一カ所の段のシールリップ３ａに、遮炎性を有する板状の芯材４が目地ガスケット１の幅方向及び長手方向に略全面に亘り埋設されたものであり、  また、前記シールリップ３ａに埋め込まれる板状の芯材４の板幅ｈが、目地Ｍの幅Ｈより若干広く形成されている。【選択図】図１
2004324397.tif 000002
【特許請求の範囲】
【請求項１】
建物の外壁の接続部に形成される目地に、建物内部への浸水防止及び遮炎のため嵌込まれるゴムまたはゴム様弾性体より成る目地ガスケットであって、中央柱部の両側から各々シールリップが外壁の端面に向けて上下に複数段突設され、かつ室内側の最下段を除く室外側の上方のシールリップのうち少なくとも一カ所の段のシールリップに、遮炎性を有する板状の芯材がガスケットの幅方向及び長手方向に略全面に亘り埋設されたことを特徴とする目地ガスケット。
【請求項２】
請求項１に記載のシールリップに埋設される板状の芯材の板幅が、目地の幅より若干広く形成されたことを特徴とする目地ガスケット。
【発明の詳細な説明】
【０００１】
【産業上の利用分野】
本発明は、建物の外壁の接続部に形成される目地に嵌め込まれ浸水防止と遮炎とを兼ねた目地ガスケットに関するものである。
【０００２】
【従来の技術】
図１２に示す如く、建物の外壁Ｗの目地Ｍにおける耐火或いは遮炎を図ったものとしては、フレームＦと外壁Ｗとの間に鋼板Ｋを介在させたものがあり、図１３は鋼板Ｋに加えて外壁Ｗの目地ＭにガスケットＧを設けた場合であり、図１４は外壁Ｗの目地Ｍにシーリング材Ｓ及びガスケットＧを設けた場合である。また、図１５に示す如くフレームＦの目地Ｍにのみグラスウール、ロックウール等の不燃材料Ｒを充填し、その室外側にガスケットＧを設けたものがある。また、特許文献１では図１６に、目地からの脱落防止の目的でガスケットＧの最も室内側のリップＬに芯材Ｓが挿入されたものが図示されている。
【０００３】
【特許文献１】特開平８−６０７５４
【０００４】
【発明が解決しようとする課題】
ところが、前記図１２〜図１４に示す鋼板Ｋを介在した場合はその取付けが、フレームＦ及び外壁Ｗに対する工場内での事前取付けができず、現場取付けになるため工数、時間がかかるという問題があった。また、図１５に示す不燃材料Ｒの充填の場合は、工場内での事前取付けは可能であるが材料が柔らか過ぎて挿入取付けが容易でなく、また遮炎の工程の他に浸水防止シールの工程が加わり目地の処理に時間がかかるという不具合があった。また、図１６に示したガスケットＧでは、剛性の大きい芯材ＳがガスケットＧの最も室内側のリップＬに挿入されているため、その挿入作業性が悪くガスケットＧが目地内で傾斜状態になるという問題があった。
そこで、本発明はかかる従来の課題に鑑みて、防水及び遮炎を図るため、遮炎性のある板状の芯材を目地ガスケットのシールリップに埋設することで、目地への取付けが容易かつ工数及び時間の低減をもたらす目地ガスケットを提供することを目的とする。
【０００５】
【課題を解決しようとする手段】
かかる目的を達成するために本発明の構成は、図１〜図１１に示すように、建物の外壁Ｗの接続部に形成される目地Ｍに、建物内部への浸水防止及び遮炎のため嵌込まれるゴムまたはゴム様弾性体より成る目地ガスケット１であって、中央柱部２の両側から各々シールリップ３が外壁Ｗの端面ｗに向けて上下に複数段突設され、かつ室内側の最下段を除く室外側の上方のシールリップ３のうち少なくとも一カ所の段のシールリップ３ａに、遮炎性を有する板状の芯材４が目地ガスケット１の幅方向及び長手方向に略全面に亘り埋設されたものであり、
また、前記シールリップ３ａに埋め込まれる板状の芯材４の板幅ｈが、目地Ｍの幅Ｈより若干広く形成されている。
【０００６】
【実施例】
以下、本発明の実施例を図に基づいて詳細に説明する。図１及び図２に示す如く、建物のフレームＦの外側に外壁Ｗが張られ、それらの接続部に形成される目地Ｍに目地ガスケット１が嵌め込まれている。
この目地ガスケット１はゴムまたはゴム様弾性体で押出し成形されて成り、中央柱部２の両側から各々シールリップ３が外壁Ｗの端面ｗに向けて略水平に上下に３段突設され、室内側の最下段を除く中間段のシールリップ３ａには、鋼板の芯材４がガスケットの幅方向及び長手方向に略全面に亘り埋設されている。該芯材４の鋼板は亜鉛メッキ鋼板、ステンレスなどの厚さ０．０１ｍｍ〜０．４ｍｍの帯状鋼板で、板幅ｈが目地Ｍの幅Ｈより若干広く形成されている。これは、目地Ｍに目地ガスケット１が嵌め込まれたとき、シールリップ３ａが縮設され常に端面ｗに圧接できるようにしたものである。室内側の最下段のシールリップ３に鋼板の芯材４を埋設しない理由は、剛性の大きい鋼板を避けてゴム又はゴム様弾性体のみとし目地Ｍに挿入し易くするためである。なお、芯材４の材料は、他種の金属或いは難燃性の硬質合成樹脂でもよい。
【０００７】
前記目地ガスケット１は、外壁Ｗの目地Ｍに嵌め込まれたときシールリップ３ａが、芯材４の剛性の大きい金属の弾性変形で反力が大きいため端面ｗに圧接され、目地Ｍからの脱落が防止される。図３は目地Ｍに嵌め込まれた目地ガスケット１の外側に、シーリング材５が嵌められた場合を示し防水性が更に高められる。
【０００８】
また、火災時に目地Ｍの幅Ｈが広がっても、芯材４の鋼板の板幅ｈが広く形成されているため鋼板は焼け残り、その弾力でシールリップ３ａは目地Ｍに保持され遮炎効果が発揮される。鋼板の代わりにバネ鋼にすると一層目地Ｍへの保持性が高まる。
図４〜図５に示す目地ガスケット６，７は前記目地ガスケット１と略同様の作用効果を有する変形例である。また、図６〜図１１に示す各目地ガスケットもシールリップの段数や形状が多少異なるが、室内側の最下段を除く上方の一カ所のシールリップ３ａに芯材４を埋設してあり、前記目地ガスケット１と略同様の作用効果を有する変形例である。
【０００９】
【本発明の効果】
本発明の目地ガスケットは、室内側の最下段を除く上方の段のシールリップに、遮炎性を有する板状の芯材が、ガスケットの幅方向及び長手方向に略全面に亘り埋設されているので、従来の如く防水性及び遮炎性の工程を別々に行なわずに済むため、目地への取付けが容易であると共に工数及び時間の低減がもたらされるという特長がある。
【図面の簡単な説明】
【図１】本発明の目地ガスケットの断面図である。
【図２】同上の目地ガスケットが建物の外壁の目地に嵌込まれた状態を示す断面図である。
【図３】目地ガスケットの外側にシーリング材が嵌込まれた場合の同上相当図である。
【図４】〜
【図１１】同上目地ガスケットの各変形例を示す断面図である。
【図１２】従来例の遮炎用鋼板が建物の外壁の目地の内側に取付けられた状態を示す断面図である。
【図１３】従来例の外壁の目地に目地ガスケットが嵌込まれた場合の同上相当図である。
【図１４】従来例の目地ガスケットの外側にシーリング材が嵌込まれた場合の同上相当図である。
【図１５】従来例のフレームの目地に不燃材料が嵌込まれた状態を示す断面図である。
【図１６】従来例の芯材が最も室内側のリップに挿入された場合のガスケットの断面図である。
【符号の説明】
１          目地ガスケット
２          中央柱部
３          シールリップ
３ａ        シールリップ
４          芯材
Ｗ          外壁
ｗ          端面
Ｍ          目地
Ｈ          目地幅
ｈ          鋼板の板幅
【図１】
2004324397.tif 000003
【図２】
2004324397.tif 000004
【図３】
2004324397.tif 000005
【図４】
2004324397.tif 000006
【図５】
2004324397.tif 000007
【図６】
2004324397.tif 000008
【図７】
2004324397.tif 000009
【図８】
2004324397.tif 000010
【図９】
2004324397.tif 000011
【図１０】
2004324397.tif 000012
【図１１】
2004324397.tif 000013
【図１２】
2004324397.tif 000014
【図１３】
2004324397.tif 000015
【図１４】
2004324397.tif 000016
【図１５】
2004324397.tif 000017
【図１６】
2004324397.tif 000018